【手続補正書】
【提出日】平成22年3月16日(2010.3.16)
【手続補正１】
【補正対象書類名】明細書
【補正対象項目名】特許請求の範囲
【補正方法】変更
【補正の内容】
【特許請求の範囲】
【請求項１】
少なくとも１つの配線式セグメントと少なくとも１つの無配線式セグメントとを接続するためのデバイスであって、
デジタルデータ信号と電話信号とは、それぞれ、高低周波数バンドにおいて前記配線式セグメントを介して同時に伝送され、
前記デバイスは、
前記電話信号を電話出口に接続するための第１コネクターと、
前記デジタルデータ信号を通過させる高域フィルタと、
デジタルデータプロトコルを使用して前記配線式セグメントを介して前記デジタルデータ信号の双方向パケットベースデジタルデータ通信を実行する第１トランシーバーと、
無配線式デジタルデータプロトコルを使用して前記無配線式セグメントを介して無配線式信号の双方向パケットベースデジタルデータ通信を実行する第２トランシーバーと、
前記無配線式デジタルデータプロトコルと前記デジタルデータプロトコルとの間でデータ変換をするために前記第１トランシーバーと前記第２トランシーバーとの間に接続されたアダプターと
を具備することを特徴とするデバイス。
【請求項２】
前記無配線式セグメントは、無線電波、光または音によって信号を伝送するように構成されている請求項１に記載のデバイス。
【請求項３】
前記信号は、無線セグメントを通じて伝送される請求項２に記載のデバイス。
【請求項４】
前記デバイスは、前記電話出口から取り外し可能となっている請求項１から３のいずれか一項に記載のデバイス。
【請求項５】
前記デバイスは、電話ユニットに接続可能となっており、
前記電話信号を通過させるために前記第１コネクターに接続された低域フィルタと、
前記電話信号を前記電話ユニットに供給するために、前記低域ファルターに接続されているとともに前記電話ユニットに接続可能である第２コネクターと
をさらに具備する請求項１から３のいずれか一項に記載のデバイス。
【請求項６】
前記デバイスは、データユニットに接続可能であり、
前記データユニットに接続可能なデータコネクターと、
前記データユニットとの双方向パケットベースデジタルデータ通信を実行するために、前記データコネクターと前記アダプターとの間に接続されたデータトランシーバーと
をさらに具備する請求項１から３のいずれか一項に記載のデバイス。
【請求項７】
前記第２トランシーバーは、無配線式通信リンクを確立するための動作をする無線式モデムを具備する請求項１から３のいずれか一項に記載のデバイス。
【請求項８】
前記無配線式通信リンクは、ＷＬＬネットワークと、ＬＭＤＳネットワークと、衛星ネットワークとのうちのいずれか一つの一部である請求項７に記載のデバイス。
【請求項９】
前記第１トランシーバーは、前記配線式セグメントを含む電話回線に接続された他の電話出口に連結された１つ以上の電話モデムとの双方向パケットベースデジタルデータ通信を実行するための動作をする電話モデムを具備する請求項１から３のいずれか一項に記載のデバイス。
【請求項１０】
前記第２トランシーバーは、無配線式デジタルデータ信号を使用する１つ以上の無線式モデムとの双方向パケットベースデジタルデータ通信を実行する無線式モデムを具備し、
前記無配線式デジタルデータ信号は、前記無配線式デジタルデータプロトコルに適合している無線信号を含む請求項１に記載のデバイス。
【請求項１１】
前記アダプターは、パケットベースデジタルプロトコルアダプターを含む請求項１から３のいずれか一項に記載のデバイス。
【請求項１２】
前記第１コネクターと、前記高域フィルタと、前記第１トランシーバーと、前記第２トランシーバーと、前記アダプターとは、単一筐体の中に収納されている請求項１に記載のデバイス。
【請求項１３】
前記単一筐体は、前記電話出口に取り付けられる請求項１２に記載のデバイス。
【請求項１４】
前記無配線式デジタルデータプロトコルは、ＩＥＥＥ８０２．１１規格に基づく無線デジタルデータプロトコルを含む請求項３に記載のデバイス。
【請求項１５】
前記データコネクターおよび前記データトランシーバーは、ＩＥＥＥ８０２．３インターフェース規格に準拠するように動作するものである請求項６に記載のデバイス。
【請求項１６】
前記第２トランシーバーは、さらに、無線通信リンクを確立する請求項３に記載のデバイス。
【請求項１７】
前記無線通信リンクは、ＷＬＬネットワークと、ＬＭＤＳネットワークと、衛星ネットワークとのうちのいずれか一つの一部である請求項１６に記載のデバイス。
【請求項１８】
前記無配線式セグメントは、光によって信号を伝送する光導体を具備する請求項２に記載のデバイス。
【請求項１９】
前記アダプターは、ブリッジと、ルーターと、ゲートウェイとのうちの少なくとも一つを具備している請求項１から１８のいずれか一項に記載のデバイス。
【請求項２０】
少なくとも１つの無配線式データユニットを第１および第２配線式セグメントに接続するためのモジュールであって、
前記第１配線式セグメントは、高域周波数バンドおよび低域周波数バンドのそれぞれを介して周波数分割多重方式を使用して、第１配線式デジタルデータ信号と電話信号とを同時にそれぞれ伝送し、
前記第２配線式セグメントは、周波数分割多重方式を使用して、データ信号周波数バンドにおける第２配線式デジタルデータ信号と、サービス信号周波数バンドにおけるサービス信号とを同時に伝送し、
前記データ信号周波数バンドは、前記サービス信号周波数バンドとは異なっており、
前記モジュールは、
電話出口に接続可能な第１電話コネクターと、
前記第１配線式デジタルデータ信号を通過させる第１フィルタと、
第１デジタルデータプロトコルを使用して前記第１配線式セグメントを介して前記第１配線式デジタルデータ信号の双方向パケットベースデジタルデータ通信を実行するために、前記第１フィルタに接続された第１トランシーバーと、
前記第２配線式セグメントに接続するためのサービスコネクターと、
前記第２配線式デジタルデータ信号を通過させるために前記サービスコネクターに接続された第２フィルタと、
第２デジタルデータプロトコルを使用して前記第２配線式セグメントを介して前記第２配線式デジタルデータ信号の双方向パケットベースデジタルデータ通信を実行するために、前記第２フィルタに接続された第２トランシーバーと、
無配線式デジタルデータプロトコルを使用して双方向パケットベースデジタルデータ通信を実行するための第３トランシーバーと、
前記無配線式デジタルデータプロトコルと前記第１デジタルデータプロトコルとの間で、または前記無配線式デジタルデータプロトコルと前記第２デジタルデータプロトコルとの間で、データ変換をするために、前記第１トランシーバーと前記第２トランシーバーと前記第３トランシーバーとに接続されたアダプターと
を具備することを特徴とするモジュール。
【請求項２１】
前記第１電話コネクターと、前記第１フィルタと、前記第２フィルタと、前記第１トランシーバーと、前記第２トランシーバーと、前記第３トランシーバーと、前記アダプターとは、単一筐体の中に収納されている請求項２０に記載のモジュール。
【請求項２２】
前記単一筐体は、前記電話出口に取り付けられるように、外形が構成されている請求項２１に記載のモジュール。
【請求項２３】
前記モジュールは、前記電話出口から取り外し可能となっている請求項２０から２２のいずれか一項に記載のモジュール。
【請求項２４】
前記第３トランシーバーは、前記無配線式デジタルデータプロトコルに適合した無配線式デジタルデータ信号を使用した通信を実行するように構成されている請求項２０に記載のモジュール。
【請求項２５】
前記無配線式デジタルデータ信号は、無線電波、光または音を伝送媒体とするものである請求項２４に記載のモジュール。
【請求項２６】
前記無配線式デジタルデータ信号は、無線セグメントを通じて伝送される請求項２５に記載のモジュール。
【請求項２７】
前記無配線式デジタルデータ信号は、ＩＥＥＥ８０２．１１規格に基づく信号である請求項２６に記載のモジュール。
【請求項２８】
前記モジュールは、電話ユニットに接続可能であり、
前記モジュールは、
前記電話信号のみを通過させるために前記第１電話コネクターに接続された低域フィルタと、
前記電話信号を前記電話ユニットに供給するために、前記低域フィルタに接続されているとともに前記電話ユニットに接続可能である第２電話コネクターと
をさらに具備する請求項２０に記載のモジュール。
【請求項２９】
前記モジュールは、配線式データユニットに接続可能であり、
前記モジュールは、
前記配線式データユニットに接続可能なデータコネクターと、
前記配線式データユニットとの双方向パケットベースデジタルデータ通信を実行するために、前記データコネクターと前記アダプターとの間に接続されたデータトランシーバーと
をさらに具備する請求項２０に記載のモジュール。
【請求項３０】
前記データコネクターおよび前記データトランシーバーは、ＩＥＥＥ８０２．３インターフェース規格に準拠するように動作するものである請求項２９に記載のモジュール。
【請求項３１】
前記第３トランシーバーは、無配線式通信リンクを確立するための動作をさらにする請求項２０に記載のモジュール。
【請求項３２】
前記無配線式通信リンクは、ＷＬＬネットワークと、ＬＭＤＳネットワークと、衛星ネットワークとのうちのいずれか一つの一部である請求項３１に記載のモジュール。
【請求項３３】
前記モジュールは、電話線対と共に使用されるものであり、
前記第１トランシーバーは、電話モデムを具備し、
前記電話モデムは、前記電話線対に接続された他の電話出口に接続された１つ以上の電話モデムとの双方向パケットベースデジタルデータ通信を実行するための動作をするものである請求項２０に記載のモジュール。
【請求項３４】
前記第３トランシーバーは、無線式モデムを具備し、
前記無線式モデムは、無線式デジタルデータ信号を使用して、１つ以上の無線式モデムとの双方向パケットベースデジタルデータ通信を実行するための動作をするものであり、
前記無線式デジタルデータ信号は、前記無配線式デジタルデータプロトコルに適合している請求項２０に記載のモジュール。
【請求項３５】
前記モジュールは、配電線対と共に使用されるものであり、
前記配電線対は、交流電源配電と、電話配電と、ケーブルテレビ配電のいずれか１つの構成部品を含み、
前記サービス信号は、交流電源信号と、電話信号と、ケーブルテレビ信号とのうちの１つに対応している請求項２０に記載のモジュール。
【請求項３６】
前記アダプターは、ブリッジと、ルーターと、ゲートウェイとのうちの少なくとも１つを具備している請求項２０から３５のいずれか一項に記載のモジュール。